(57)【要約】  本発明は実質的垂直軸周囲を回動するように提供される階段リフト用の単部品足載台に関し、階段リフト設置に関係なく隙間を提供できる。【選択図】図１
2007526193.tif 000002
【特許請求の範囲】
【請求項１】
階段リフト用の足載台であって、
実質的に平坦な上面と、
外エッジと、
前記外エッジと実質的対極に提供される内エッジと、
前記内エッジと前記外エッジのそれぞれの外側マージン部を連結させる側エッジと、
を含んでおり、
前記内エッジは前記外エッジよりも短く、本足載台は回動点を有しており、着座部に対して実質的垂直軸周囲で回動し、前記回動点は前記外エッジよりも前記内エッジに近く提供されていることを特徴とする足載台。
【請求項２】
対称線を有していることを特徴とする請求項１記載の足載台。
【請求項３】
回動点は対称線上に存在することを特徴とする請求項２記載の足載台。
【請求項４】
側エッジは外エッジから外側に延びることを特徴とする請求項１から３のいずれかに記載の足載台。
【請求項５】
回動点周囲で足載台のポジションを固定する固定手段を含んでいることを特徴とする請求項１から４のいずれかに記載の足載台。
【請求項６】
請求項１から５のいずれかに記載の足載台を有する階段リフト着座部。
【請求項７】
階段リフト着座部と足載台との組み合わせであって、着座部は意図された移動方向に垂直な中央軸を有しており、該足載台は対称線を有しており、前記足載台は外エッジと；該外エッジとは実質的反対側の内エッジと；該内エッジと前記外エッジの外側マージン部を連結する側エッジとをさらに含んでおり、
前記組み合わせは、前記足載台の前記内エッジは前記外エッジよりも短く、前記足載台が前記着座部に対して実質的垂直軸周囲を回動するように搭載されており、回動位置は前記着座部の前記中央軸及び前記足載台の前記対称線の両方上に存在することを特徴とする階段リフト着座部と足載台との組み合わせ。
【請求項８】
回動位置は外エッジよりも内エッジに近く提供されていることを特徴とする請求項７記載の組み合わせ。
【請求項９】
請求項７または８記載の着座部と足載台の組み合わせとを含んだ階段リフト。
【発明の詳細な説明】
【技術分野】
【０００１】
本発明は階段リフトに関する。特に、階段リフト着座部に使用する足載台に関する。
【背景技術】
【０００２】
足載台は階段リフトと一体である。しかし過去においては足載台を提供することが困難である場合があった。足載台は階段に最も近い着座部の部品であるが、階段リフト用レールに沿って足載台と階段との間に充分な隙間を提供するのが困難であることが多かった。足載台と階段との間の妨害は階段が方向を変えるところで多発するが、階段の形状によっては他の箇所でも起こり得た。
【０００３】
過去においては、必要な間隔を確保するために階段リフト装置の足載台の中心線が着座部の中心線から相当程度にずれていることを必要とした。装置によっては階段との間隔を提供するために（通常は）方形である足載台の側エッジを斜めに切断する必要があった。
【発明の開示】
【発明が解決しようとする課題】
【０００４】
階段リフト装置が左側用または右側用であったりするため、様々な足載台形状が必要となる問題も存在する。そのため製造コストが高くなり、在庫の問題もあった。さらに、階段リフトを設置する技術者は様々な形態の足載台を現場に持ち込み、設置完了時にどの足載台が利用者の快適性を与え、しかも階段と階段リフトとの間隔を確保するのに最適であるかを決定しなければならなかった。
【０００５】
本発明の1目的は、前述の問題に少なくとも部分的に対処でき、あるいは新規で有用な階段リフト用の足載台を提供することである。
【課題を解決するための手段】
【０００６】
本発明の第１の特徴によれば、本発明は階段リフト用の足載台を提供する。この足載台は、実質的に平坦な上面と、外エッジと、外エッジと実質的対極に提供される内エッジと、内エッジと外エッジのそれぞれの外側マージン部を連結させる側エッジとを含んでおり、内エッジは外エッジよりも短く、足載台は回動点を有しており、着座部に対して実質的垂直軸周囲で回動する。回動転は外エッジよりも内エッジに近く提供されている。
【０００７】
好適には足載台は対称線を有している。
【０００８】
好適には回動点はその対称線上に存在する。
【０００９】
好適には側エッジは外エッジから外側に延びる。
【００１０】
好適には足載台は回動点周囲で足載台のポジションを固定する固定手段を含んでいる。
【００１１】
本発明の第２の特徴によれば、本発明は前記の足載台を有した階段リフト着座部を提供する。
【００１２】
本発明の第３の特徴によれば、本発明は階段リフト着座部と足載台の組み合わせを提供する。着座部は意図された移動方向に垂直な中央軸を有している。足載台は対称線を有している。足載台はさらに、外エッジと、外エッジとは反対側の内エッジと、内エッジと外エッジのそれぞれの外側マージン部を連結する側エッジとを含んでいる。
【００１３】
足載台の内エッジは外エッジよりも短く、足載台が着座部に対して実質的垂直軸周囲を回動するように搭載されている。回動位置は着座部の中央軸及び足載台の対称線の両方上に存在する。
【００１４】
好適には回動位置は外エッジよりも内エッジに近く提供されている。
【００１５】
本発明の第４の特徴によれば、本発明は前述の着座部と足載台とを含んだ階段リフトを提供する。
【００１６】
本発明の第５の特徴によれば、本発明は階段リフト分野で知られた諸問題に対処することができるよう、本明細書で開示された内容のいかなる新規な組み合わせをも包含する。
【００１７】
本発明を実施させる多様な形態が可能である。以下は本発明の説明のみを目的に提供されており、本発明の限定は意図されていない。本発明は「請求の範囲」によってのみ限定される。
【発明を実施するための最良の形態】
【００１８】
本発明により、階段リフト装置７の着座部６と共に使用するために足載台５が提供される。本発明の理解ならびに実施にとって着座部の正確な形態は重要ではない。図１に示す如く、着座部６が中央軸８を有することが唯一の必要事項である。
【００１９】
図示の形態では、足載台５は搭載ブラケット１０に固定されており、ブラケット１０は着座部の基部に提供されている。ブラケット１０は、階段リフトを使用していない時は足載台５を上方に折り畳ませることができる形態になっている。
【００２０】
図２と図３で図示する形状では、足載台は実質的に平坦な上面１２と、外エッジ１３と、内エッジ１４と、２つの側エッジ１５ａと１５ｂとを含んでいる。内エッジ１４は外エッジ１３よりもかなり短いが、２つの側エッジ１５ａと１５ｂは外エッジ１３のマージン部から１６で示す最高幅にまで外側へ広がっており、内エッジ１４の外側マージン部へ向かって内側へ先細り状になっている。
【００２１】
好適には足載台は対称線１８を有しており、上面１２は左右対称である。
【００２２】
図面並びに本明細書で示す細部の形状は絶対的ではない。本発明の範囲から逸脱することなく形状を変形することができる。
【００２３】
足載台は垂直回動軸２０にて搭載ブラケット１０に固定されている。図示の如く、回動軸２０は外エッジよりも内エッジ１４に近い。回動軸周りで足載台のポジションが一旦選択されるとそこで固定されるように、ロックボルト２１等の固定手段が提供される。
【００２４】
図２と図３で示すように、足載台の対称線１８は回動軸２０を通過しており、回動軸２０も平面上に位置しており、着座部６の意図された移動方向に対して垂直で、着座部６の対称線８を介して延びている。このように、着座部／足載台の組み合わせは説明の如く、左側設置または右側設置に対して同様に対応できる。
【００２５】
本明細書の足載台は従来のものと比較して大きな利点を有する。設置者は現場で、対象ユーザーに対応するだけでなく、従来の足載台を階段の部分に衝突させるであろうあらゆる障害物に対処できるよう足載台５のポジションを決定することができる。さらに設置者は、多様な足載台部品から選択したり、既存の足載台を改造する必要がない。１つの部品をあらゆる状況に合わせることができる。
【００２６】
本発明は階段リフト装置用足載台の簡単且つ効果的な形態を提供し、今までの問題に適切に対処する。
【図面の簡単な説明】
【００２７】
【図１】図１は本発明による階段リフト着座部と足載台を示す。
【図２】図２は第１ポジションにある本発明の足載台の平面図である。
【図３】図３は第２ポジションにある本発明の足載台の平面図である。
【図１】
2007526193.tif 000003
【図２】
2007526193.tif 000004
【図３】
2007526193.tif 000005
【国際調査報告】
2007526193.tif 000006
2007526193.tif 000007